(57)【要約】【課題】ドーム型フレネルレンズを用いた集光型太陽光発電モジュールにおいて、ドーム型フレネルレンズとこれを固定するレンズ固定枠の間の隙間の形成を抑制すること、及び、モジュール内部に侵入した埃の除去や摩耗した集光レンズの交換を容易化すること。【解決手段】集光型太陽光発電モジュール１０は、集光装置２０と、太陽電池セル３０と、レシーバ４０とを備えている。集光装置２０は、複数個のドーム型フレネルレンズ２２ａ連結している集光レンズ２２と、集光レンズ２２の側面を支持するレンズ固定枠２４とを備えている。レンズ固定枠２４は、集光レンズ２２と同一の材料からなる。さらに、集光型太陽光発電モジュール１０は、集光装置２０とレシーバ４０とを分離するための分離手段５０を備えている。【選択図】図１
2014093485.tif 000002
【特許請求の範囲】
【請求項１】
以下の構成を備えた集光型太陽光発電モジュール。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記レンズ固定枠は、前記集光レンズとの熱膨張係数差Δαが４５×１０-6Ｋ-1以下である材料からなる。
（４）前記集光型太陽光発電モジュールは、前記集光装置と前記レシーバとを分離するための分離手段を備えている。
【請求項２】
前記レンズ固定枠は、前記集光レンズと同一の材料からなる請求項１に記載の集光型太陽光発電モジュール。
【請求項３】
前記レンズ固定枠は、前記レンズ固定枠及び前記集光レンズとの熱膨張係数差Δαが４５×１０-6Ｋ-1以下である材料からなる接着剤又は封止剤で前記集光レンズに固定されている請求項１又は２に記載の集光型太陽光発電モジュール。
【請求項４】
前記分離手段は、
前記集光装置の下端と前記レシーバの上端と間に挿入されたＯリングと、
前記集光装置と前記レシーバとを着脱自在に締結する締結手段と
を備えている請求項１から３までのいずれか１項に記載の集光型太陽光発電モジュール。
【請求項５】
以下の構成を備えた集光型太陽光発電モジュール。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記レンズ固定枠は、前記集光レンズとの熱膨張係数差Δαが４５×１０-6Ｋ-1以下である材料からなる。
【請求項６】
前記レンズ固定枠は、前記集光レンズと同一の材料からなる請求項５に記載の集光型太陽光発電モジュール。
【請求項７】
前記レンズ固定枠は、前記レンズ固定枠及び前記集光レンズとの熱膨張係数差Δαが４５×１０-6Ｋ-1以下である材料からなる接着剤又は封止剤で前記集光レンズに固定されている請求項５又は６に記載の集光型太陽光発電モジュール。
【請求項８】
以下の構成を備えた集光型太陽光発電モジュール。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記集光型太陽光発電モジュールは、前記集光装置と前記レシーバとを分離するための分離手段を備えている。
【請求項９】
前記分離手段は、
前記集光装置の下端と前記レシーバの上端と間に挿入されたＯリングと、
前記集光装置と前記レシーバとを着脱自在に締結する締結手段と
を備えている請求項８に記載の集光型太陽光発電モジュール。
【発明の詳細な説明】
【技術分野】
【０００１】
本発明は、集光型太陽光発電モジュールに関し、さらに詳しくは、集光装置により集光された高エネルギーの太陽光を太陽電池セルに照射することによって発電を行う集光型太陽光発電モジュールに関する。
【背景技術】
【０００２】
太陽光発電モジュールは、太陽光をそのまま太陽電池セルに照射する非集光型と、集光装置を用いて集光された太陽光を太陽電池セルに照射する集光型に大別される。これらの内、集光型太陽光発電モジュールは、太陽電池セルを小さくすることができるので、変換効率の良い高価なセルを使用しても電力製造コストに与える影響が小さい。そのため、集光型太陽光発電モジュールは、安価な電力を効率よく製造できるという利点がある。
【０００３】
太陽光を集光するための集光レンズとしては、
（１）平板の裏面（太陽光が入射する面とは反対側の面）に、太陽光を集光するための凹凸が形成された平板型レンズ（例えば、特許文献１参照）、
（２）球殻の裏面（太陽光が入射する面とは反対側の面）に、太陽光を集光するための凹凸が形成されたドーム型フレネルレンズ（例えば、特許文献２参照）
などが知られている。
集光型太陽光発電モジュールを屋外で使用すると、集光レンズの表面に塵や埃が堆積し、変換効率が低下する。変換効率を回復させるためには、集光レンズの表面に堆積した塵や埃を水洗浄で除去する必要がある。しかしながら、平板型レンズは、水洗浄を行っても、表面に塵や埃が滞留しやすいという欠点がある。これに対し、ドーム型フレネルレンズは、水洗浄により塵や埃がドームの谷間に容易に流れ落ちるので、洗浄性に優れているという利点がある。
【０００４】
ドーム型フレネルレンズの平面形状は正方形であるが、側面形状はアーチ型になっている。そのため、ドーム型フレネルレンズと、これを固定するためのレンズ固定枠とは、通常、側面で接合されている。また、モジュール内部への水や埃の侵入を防ぐために、両者の間には、接着剤（互いの材料を隙間なく密着させるもの）又は封止剤（互いの材料を密着・接着させることなく、両者の隙間を塞ぐもの）が充填されている。
さらに、集光型太陽光発電モジュールは、従来、一旦設置されると、半永久的に使用できると考えられていた。そのため、従来のモジュールにおいて、集光装置は、モジュール本体に固定されており、容易に分離できない構造になっている。
【０００５】
しかしながら、従来、ドーム型フレネルレンズはアクリル樹脂等の樹脂が用いられているのに対し、レンズ固定枠はＡｌ等の金属材料が用いられている。そのため、温度変化が激しい環境下において長期間使用すると、ドーム型フレネルレンズとレンズ固定枠との熱膨張係数が異なるために、両者の間に隙間が形成される場合があった。両者の間に隙間が形成されると、モジュール内部に水や埃が侵入し、モジュール特性を低下させる原因となる。
【０００６】
さらに、集光型太陽光発電モジュールを屋外において長期間使用すると、隙間から水や埃が侵入するだけでなく、集光レンズの表面が砂塵等により摩耗し、光透過性が低下する。しかしながら、従来の集光型太陽光発電モジュールは、集光装置とモジュール本体とが容易に分離できない構造であるために、モジュール内部に侵入した埃の除去や、摩耗した集光レンズの交換を容易に行うことができないという問題があった。
【先行技術文献】
【特許文献】
【０００７】
【特許文献１】特開２０１０−２０５９８９号公報
【特許文献２】特開２００６−３１３８０９号公報
【発明の概要】
【発明が解決しようとする課題】
【０００８】
本発明が解決しようとする課題は、ドーム型フレネルレンズを用いた集光型太陽光発電モジュールにおいて、ドーム型フレネルレンズとこれを固定するレンズ固定枠の隙間からの水や埃の侵入を抑制することにある。
また、本発明が解決しようとする他の課題は、ドーム型フレネルレンズを用いた集光型太陽光発電モジュールにおいて、モジュール内部に侵入した埃の除去や摩耗した集光レンズの交換を容易化することにある。
【課題を解決するための手段】
【０００９】
上記課題を解決するために本発明に係る集光型太陽光発電モジュールは、以下の構成を備えていることを要旨とする。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記レンズ固定枠は、前記集光レンズとの熱膨張係数差Δαが４５×１０-6Ｋ-1以下である材料からなる。
（４）前記集光型太陽光発電モジュールは、前記集光装置と前記レシーバとを分離するための分離手段を備えている。
【００１０】
本発明に係る集光型太陽光発電モジュールの２番目は、以下の構成を備えていることを要旨とする。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記レンズ固定枠は、前記集光レンズとの熱膨張係数差Δαが４５×１０-6Ｋ-1以下である材料からなる。
【００１１】
さらに、本発明に係る集光型太陽光発電モジュールの３番目は、以下の構成を備えていることを要旨とする。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記集光型太陽光発電モジュールは、前記集光装置と前記レシーバとを分離するための分離手段を備えている。
【発明の効果】
【００１２】
ドーム型フレネルレンズを用いた集光型太陽光発電モジュールにおいて、レンズ固定枠の材料として、集光レンズとほぼ同等の熱膨張係数を有する材料を用いると、温度変化が激しい環境下において長期間使用した場合であっても、集光レンズとレンズ固定枠との間に隙間が形成され難くなる。その結果、モジュール特性の低下を抑制することができる。
また、ドーム型フレネルレンズを用いた集光型太陽光発電モジュールにおいて、分離手段を設けると、集光装置とレシーバとを容易に分離することができる。その結果、モジュール内部に侵入した埃の除去や摩耗した集光レンズの交換を容易に行うことができる。
【図面の簡単な説明】
【００１３】
【図１】本発明の第１の実施の形態に係る集光型太陽光発電モジュールの概略断面図である。
【図２】ドーム型フレネルレンズの平面図（図２（ａ））及び正面図（図２（ｂ））である。
【図３】従来の集光型太陽光発電モジュールの概略断面図である。
【図４】分離手段を備えた集光型太陽光発電モジュールの外観写真（左図：分離前、右図：分離後）である。
【発明を実施するための形態】
【００１４】
以下に、本発明の一実施の形態について詳細に説明する。
［１．  集光型太陽光発電モジュール（１）］
図１に、本発明の第１の実施の形態に係る集光型太陽光発電モジュールの概略断面図を示す。図１において、集光型太陽光発電モジュール１０は、集光装置２０と、太陽電池セル３０、３０…と、レシーバ４０と、分離手段５０とを備えている。
【００１５】
［１．１．  集光装置］
集光装置２０は、太陽光を集光するための装置である。本発明において、集光装置２０は、複数個のドーム型フレネルレンズ２２ａ、２２ａ…が一方向（ｘ方向）又は互いに直行する二方向（ｘ方向及びｙ方向）に連結している集光レンズ２２と、集光レンズ２２の側面を支持するレンズ固定枠２４とを備えている。
【００１６】
図２に、ドーム型フレネルレンズの平面図及び正面図を示す。なお、ドーム型フレネルレンズ２２ａの裏面（太陽光が入射する面と反対の面）には、太陽光を集光するための凹凸が形成されているが、図２においては、その図示を省略してある。
ドーム型フレネルレンズ２２ａは、図２に示すように、先端が球殻状になっている。また、ドーム型フレネルレンズ２２ａの平面形状は正方形であるが、その側面形状はアーチ型になっている。この場合、レンズ固定枠２４の先端形状を、ドーム型フレネルレンズ２２ａの側面のアーチに倣う形状とし、レンズ固定枠２４の先端にドーム型フレネルレンズ２２ａを接合することも考えられる。しかしながら、このような形状を有するレンズ固定枠２４を作製するのは難しい。
そのため、図１の右上図に示すように、ドーム型フレネルレンズ２２ａとレンズ固定枠２４とは、側面で接合されている。また、モジュール１０内部への水や埃の侵入を防ぐために、両者は、接着剤又は封止剤（図示せず）で固定されている。
【００１７】
本実施の形態において、レンズ固定枠２４は、集光レンズ２２との熱膨張係数差Δαが４５×１０-6Ｋ-1以下である材料が用いられている。この点が従来とは異なる。
熱膨張係数差Δαに起因する隙間の形成を抑制するためには、レンズ固定枠２４と集光レンズ２２との熱膨張係数差Δαは小さいほど良い。特に、レンズ固定枠２４は、集光レンズ２２と同一の材料からなるのが好ましい。
さらに、熱膨張係数差Δαに起因する隙間の形成を抑制するためには、レンズ固定枠２４は、レンズ固定枠２４及び集光レンズ２２との熱膨張係数差Δαが４５×１０-6Ｋ-1以下である材料からなる接着剤又は封止剤で集光レンズ２２に固定されているのが好ましい。特に、レンズ固定枠２４は、レンズ固定枠２４及び集光レンズ２２と同一の材料からなる接着剤又は封止剤で集光レンズ２２に固定されているのが好ましい。
【００１８】
例えば、集光レンズ２２がアクリル樹脂（ＡＳ）（α＝６５〜６８×１０-6Ｋ-1）からなる場合、レンズ固定枠２４としてアクリル樹脂、ＡＢＳ樹脂（α＝６５〜９５×１０-6Ｋ-1）、塩化ビニル（α＝５０〜１００×１０-6Ｋ-1）、又は、ＰＥＴ（α＝６５×１０-6Ｋ-1）を用い、かつ、両者をアクリル系接着剤、又は、シリコーン樹脂で固定（接着又は封止）するのが好ましい。
【００１９】
［１．２．  太陽電池セル］
太陽電池セル３０、３０…は、照射された光を電力に変換するためのセルである。本発明において、太陽電池セル３０、３０…の構造や、これを構成する材料は、特に限定されるものではなく、種々の構造及び材料からなるセルを用いることができる。
太陽電池セルは、一般に、裏面電極、光起電力効果を奏する半導体層、及び上部電極がこの順で積層された構造を備えている。半導体層の表面には、反射防止膜が形成される場合もある。半導体層としては、例えば、結晶シリコン、ＩｎＧａＰ／ＩｎＧａＡｓ／Ｇｅに代表されるIII-V族化合物半導体などが知られている。
【００２０】
本実施の形態において、太陽電池セル３０、３０…は、レシーバ４０の内底面に固定されている。レシーバ４０には、太陽電池セル３０、３０…による発電に必要な各種の構成要素が設けられる。図１において、図示は省略されているが、レシーバ４０の内底面の上に、絶縁層及びプレートがこの順で形成され、プレートの上には、太陽電池セル３０、３０…がリード電極を介して固定されている。
【００２１】
本実施の形態において、太陽電池セル３０、３０…の上面には、ホモジナイザー（二次光学系）３２、３２…が設けられている。ホモジナイザー３２、３２…は、集光装置２０により集光された太陽光を太陽電池セル３０、３０…に導くためのものである。ホモジナイザー３２、３２…は必ずしも必要ではないが、ホモジナイザー３２、３２…を設けると、導かれた光を側面で繰り返し全反射させることにより、光のエネルギーを均一化させることができる。ホモジナイザー３２、３２…は、その下端面が太陽電池セル３０、３０…に対向するように、太陽電池セル３０、３０…の真上位置に立設される。
【００２２】
［１．３．  レシーバ］
レシーバ４０は、上部が開口した箱形を呈し、内底面に太陽電池セル３０、３０…を固定し、上部に集光装置２０を固定するためのものである。本実施の形態において、レシーバ４０は、後述する分離手段５０により、集光装置２０と分離可能になっている。
【００２３】
レシーバ４０は、単に太陽電池セル３０、３０…を固定する機能だけでなく、太陽電池セル３０、３０…で発生した熱を放熱させる機能も備えている必要がある。そのためには、少なくともレシーバ４０の底面は、放熱性の高い材料を用いる必要がある。このような放熱性の高い材料としては、Ａｌ、Ｃｕなどがある。
レシーバ４０の側壁部分や集光装置２０との接合部分の材料は、特に限定されるものではなく、目的に応じて最適な材料を選択することができる。例えば、レシーバ４０の全体を放熱性の高い材料で構成しても良い。あるいは、レシーバ４０の底面のみを放熱性の高い材料で構成し、レシーバ４０の側壁部分や集光装置２０との接合部分を他の材料で構成しても良い。
【００２４】
［１．４．  分離手段］
本実施の形態に係る集光型太陽光発電モジュール１０は、集光装置２０とレシーバ４０とを分離するための分離手段５０を備えている。この点が従来とは異なる。
分離手段５０は、集光装置２０とレシーバ４０とを着脱自在に締結することができ、かつ、モジュール内部への水分や埃の侵入を抑制可能なものであれば良い。
【００２５】
図１に示す例において、レンズ固定枠２４（集光装置２０）の下端は、内側に向かってＬ字型に折れ曲がっている。また、レシーバ４０の上端は、外側に向かってＬ字型に折れ曲がっている。レンズ固定枠２４とレシーバ４０とは、水平方向の面を重ね合わせるようにして固定されている。
【００２６】
また、図１に示す例において、分離手段５０は、
（１）集光装置２０の下端とレシーバ４０の上端と間に挿入されたＯリング５２と、
（２）集光装置２０とレシーバ４０とを着脱自在に締結する締結手段５４と
を備えている（図１の右下図参照）。
図１に示す例において、締結手段５４には、
（ａ）セル固定部４０の上端の側面（又は、集光装置２０の下端の側面）に固定されたベルト５４ａと、
（ｂ）集光装置２０の下端の側面（又は、セル固定部４０の上端の側面）に固定された、ベルト５４ａの先端を引っ掛けるためのフック５４ｂ
からなる（いわゆる、「パッチン錠」）。
その他の締結手段５４としては、例えば、ボルトとナットによるものなどがある。
【００２７】
［２．  集光型太陽光発電モジュール（１）の作用］
図３に、従来の集光型太陽光発電モジュールの概略断面図を示す。従来の集光型太陽光発電モジュール１０’は、レシーバ４０の全体に放熱性の高い材料（Ａｌ、Ｃｕなどの金属材料）が用いられ、かつ、レンズ固定枠２４’にも放熱性の高い材料が用いられていた。一方、ドーム型フレネルレンズを用いた集光型太陽光発電モジュールにおいて、ドーム型フレネルレンズ（集光レンズ２２）には、アクリル樹脂等の樹脂が用いられていた。そのため、温度変化が激しい環境下において長期間使用すると、図３の右図に示すように、集光レンズ２２とレンズ固定枠２４’との熱膨張係数が異なるために、両者の間に隙間が形成される場合があった。両者の間に隙間が形成されると、モジュール内部に水や埃が侵入し、モジュール特性を低下させる原因となる。
【００２８】
また、従来の集光型太陽光発電モジュール１０’は、レンズ固定枠２４’とレシーバ４０とが容易に分離できない構造になっていた。これは、集光型太陽光発電モジュール１０’は半永久的に使用することができ、部品交換が不要と考えられていたためである。
しかしながら、集光型太陽光発電モジュール１０’を屋外において長期間使用すると、隙間から水や埃が侵入するだけでなく、集光レンズ２２の表面が砂塵等により摩耗し、光透過性が低下する。また、従来の集光型太陽光発電モジュール１０’は、集光装置とモジュール本体とが容易に分離できない構造であるために、モジュール内部に侵入した埃の除去や、摩耗した集光レンズの交換を容易に行うことができなかった。
【００２９】
これに対し、ドーム型フレネルレンズ２２ａ、２２ａ…を用いた集光型太陽光発電モジュール１０において、レンズ固定枠２４の材料として、集光レンズ２２とほぼ同等の熱膨張係数を有する材料を用いると、温度変化が激しい環境下において長期間使用した場合であっても、集光レンズ２２とレンズ固定枠２４との間に隙間が形成され難くなる。その結果、モジュール特性の低下を抑制することができる。
さらに、集光レンズ２２とレンズ固定枠２４とを、これらとほぼ同等の熱膨張係数を有する材料からなる接着剤又は封止剤で固定すると、モジュール特性の低下をさらに抑制することができる。
【００３０】
また、ドーム型フレネルレンズ２２ａ、２２ａ…を用いた集光型太陽光発電モジュール１０において、分離手段５０を設けると、集光装置２０とレシーバ４０とを容易に分離することができる。図４に、分離手段５０を備えた集光型太陽光発電モジュール１０の外観写真（左図：分離前、右図：分離後）を示す。図４左図に示すように、本実施の形態に係る集光型太陽光発電モジュール１０は、外観上、従来のモジュールと差異はない。しかしながら、図４右図に示すように、分離手段５０を備えているため、集光装置２０を容易に取り外すことができる。その結果、モジュール内部に侵入した埃の除去や摩耗した集光レンズ２２の交換を容易に行うことができる。
【００３１】
［３．  集光型太陽光発電モジュール（２）］
本発明の第２の実施の形態に係る集光型太陽光発電モジュールは、以下の構成を備えている。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記レンズ固定枠は、前記集光レンズとの熱膨張係数差Δαが４５×１０-6Ｋ-1以下である材料からなる。
【００３２】
すなわち、本実施の形態に係る集光型太陽光発電モジュールは、分離手段を備えていない点以外は、第１の実施の形態に係る集光型太陽光発電モジュールと同一の構成を備えている。
【００３３】
この場合、前記レンズ固定枠は、前記集光レンズと同一の材料からなるのが好ましい。
また、前記レンズ固定枠は、前記レンズ固定枠及び前記集光レンズとの熱膨張係数差Δαが４５×１０-6Ｋ-1以下である材料からなる接着剤又は封止剤で前記集光レンズに固定されているのが好ましい。特に、前記レンズ固定枠は、前記レンズ固定枠及び前記集光レンズと同一の材料からなる接着剤又は封止剤で前記集光レンズに固定されているのが好ましい。
本実施の形態に係る集光型太陽光発電モジュールのその他の点については、第１の実施の形態と同様であるので、説明を省略する。
【００３４】
［４．  集光型太陽光発電モジュール（２）の作用］
ドーム型フレネルレンズを用いた集光型太陽光発電モジュールにおいて、レンズ固定枠の材料として、集光レンズとほぼ同等の熱膨張係数を有する材料を用いると、温度変化が激しい環境下において長期間使用した場合であっても、集光レンズとレンズ固定枠との間に隙間が形成され難くなる。その結果、モジュール特性の低下を抑制することができる。
また、レシーバの全体が放熱性の高い材料からなる場合、レシーバとレンズ固定枠とを固定すると、レシーバの熱膨張によってレンズ固定枠も膨張する場合がある。しかしながら、レンズ固定枠を集光レンズとほぼ同等の熱膨張係数を有する材料を用いることによって、従来に比べてレンズ固定枠の膨張を抑制することができる。
【００３５】
［５．  集光型太陽光発電モジュール（３）］
本発明の第３の実施の形態に係る集光型太陽光発電モジュールは、以下の構成を備えている。
（１）前記集光型太陽光発電モジュールは、
太陽光を集光するための集光装置と、
前記集光装置で集光された太陽光を受光する太陽電池セルと、
上部が開口した箱形を呈し、内底面に前記太陽電池セルを固定し、上部に前記集光装置を固定するためのレシーバと
を備えている。
（２）前記集光装置は、
複数個のドーム型フレネルレンズが一方向又は互いに直交する二方向に連結している集光レンズと、
前記集光レンズの側面を支持するレンズ固定枠と
を備えている。
（３）前記集光型太陽光発電モジュールは、前記集光装置と前記レシーバとを分離するための分離手段を備えている。
【００３６】
すなわち、本実施の形態に係る集光型太陽光発電モジュールは、レンズ固定枠の材料が限定されない点以外は、第１の実施の形態に係る集光型太陽光発電モジュールと同一の構成を備えている。
【００３７】
この場合、前記分離手段は、
前記集光装置の下端と前記レシーバの上端と間に挿入されたＯリングと、
前記集光装置と前記レシーバとを着脱自在に締結する締結手段と
を備えているものが好ましい。
本実施の形態に係る集光型太陽光発電モジュールのその他の点については、第１の実施の形態と同様であるので、説明を省略する。
【００３８】
［６．  集光型太陽光発電モジュール（３）の作用］
ドーム型フレネルレンズを用いた集光型太陽光発電モジュールにおいて、分離手段を設けると、集光装置とレシーバとを容易に分離することができる。その結果、モジュール内部に侵入した埃の除去や摩耗した集光レンズ２２の交換を容易に行うことができる。
【産業上の利用可能性】
【００３９】
本発明に係る集光型太陽光発電モジュールは、工場や住宅に電力を供給するための発電装置として使用することができる。
【符号の説明】
【００４０】
１０    集光型太陽光発電モジュール
２０    集光装置
２２    集光レンズ
２２ａ  ドーム型フレネルレンズ
２４    レンズ固定枠
４０    レシーバ
５０    分離手段
【図１】
2014093485.tif 000003
【図２】
2014093485.tif 000004
【図３】
2014093485.tif 000005
【図４】
2014093485.tif 000006